(57)【要約】【課題】入賞口位置が自身で変化し、障碍釘の配置にかかわらず入賞が得られ、パチンコ機本来の遊技球の動きを楽しむことが出来るパチンコ機を提供すること。【解決手段】入賞口位置に遊技球が通過する貫通口７ａを有した遊技盤７と、遊技盤上に回転中心を設けて回転自在に取り付けられると共に、遊技盤上の遊技球を受け入れる入球口３０と入球口に入った遊技球を遊技盤の貫通口に連絡する球誘導路３２とからなり、遊技盤上を移動する遊技球に当たると遊技球の慣性力で回転揺動する入賞装置２４を備えたことを特徴とするパチンコ機である。【選択図】　　図５
2004097774.tif 000002
【特許請求の範囲】
【請求項１】
入賞口位置に遊技球が通過する貫通口を有した遊技盤と、
該遊技盤上に回転中心を設けて回転自在に取り付けられると共に、遊技盤上の遊技球を受け入れる入球口と該入球口に入った遊技球を前記遊技盤の貫通口に連絡する球誘導路とからなり、
遊技盤上を移動する遊技球に当たると遊技球の慣性力で回転揺動する入賞装置を備えたことを特徴とするパチンコ機。
【請求項２】
前記入賞装置は、遊技盤に回転自在に取り付けた状態で入球口が上向きになるように自立することを特徴とする請求項１記載のパチンコ機。
【請求項３】
前記入賞装置は、遊技盤上で回転する範囲を所定範囲内に規制する回転範囲規制装置を設けたことを特徴とする請求項１乃至２記載のパチンコ機。
【請求項４】
前記入賞装置の回転規制装置は、少なくとも入球口が水平線より上方に向く範囲内に規制するように設けたことを特徴とする請求項１乃至３記載のパチンコ機。
【請求項５】
前記入賞装置は、前記遊技盤の貫通口に装着し、該貫通口を回転中心として回転自在に設けたことを特徴とする請求項１乃至４記載のパチンコ機。
【請求項６】
前記入賞装置は、前記遊技盤の貫通口とは別の位置に回転中心を設けて遊技盤に回転自在に装着したことを特徴とする請求項１乃至４記載のパチンコ機。
【請求項７】
前記入賞装置は、遊技盤に取付板を固定し、該取付板に入賞装置を回転自在に設けたことを特徴とする請求項１乃至６記載のパチンコ機。
【請求項８】
前記入賞装置は、外側部に遊技球が当接する遊技球当接部を設けたことを特徴とする請求項１乃至７記載のパチンコ機。
【請求項９】
前記入賞装置の球当接部は、下部に向かって裾広がりの球当接面からなることを特徴とする請求項１乃至８記載のパチンコ機。
【請求項１０】
前記入賞装置の球当接部は、入賞装置の側部に張り出す球受け面からなることを特徴とする請求項１乃至８記載のパチンコ機。
【請求項１１】
前記入賞装置の球当接部は、前記球誘導路の下部側に突き出して設けた球当接竿からなることを特徴とする請求項１乃至８記載のパチンコ機。
【請求項１２】
前記回転範囲規制装置は、前記取付板又は入賞装置のいずれかの側に設けた回転軸を中心とする円弧溝と、該円弧溝内で移動可能に前記取付板又は入賞装置のいずれかの側に設けた規制ピンと、からなることを特徴とする請求項１乃至１１記載のパチンコ機。
【請求項１３】
前記回転範囲規制装置は、入賞装置の回転によって入賞装置の側部が当接して係止する係止ピンからなることを特徴とする請求項１乃至１１記載のパチンコ機。
【請求項１４】
前記入賞装置は、遊技盤又は取付板との間でベアリングを介して装着したことを特徴とする請求項１乃至１３記載のパチンコ機。
【請求項１５】
前記入賞装置は、前記入球口と反対側にウエイトを設け、入球口が上向きに自立するようにしたことを特徴とする請求項１乃至１４記載のパチンコ機。
【発明の詳細な説明】
【０００１】
【発明が属する技術分野】
本発明は、パチンコ機の遊技盤面上に配置されて遊技球を受け入れる入賞装置に関する。
【０００２】
【従来の技術】
従来のパチンコ機について図１１を参照して説明する。図１１は第１種パチンコ機１を示し、２はその前面枠、３は前面枠２の前面に開閉自在に装着されるガラス扉枠、７は前面枠２の後面に着脱可能に装着された遊技盤である。外レール４と内レール５で仕切られた遊技盤７の内部に遊技領域６が形成され、この遊技領域６内に役物例えば中央部にセンターケース８が設けられ、センターケース８には特別図柄表示装置９及び普通図柄表示装置１０が設けられている。センターケース８の上部左右にはランプ付き風車１３が、またセンターケース８の左右にゲート１２が、センターケース８の下部中央に始動入賞口（普通電動役物のことで以下単に始動口と称す）１１が、始動口１１の左右には一般入賞口１４が配置され、始動口１１、入賞口１４の下方にアタッカー１５が設けられている。アタッカー１５は、中央部に開閉扉を備えた可変入賞装置１６とその左右両端部に一般入賞口１７とが一体になって設けられている。アタッカー１５の下方には上記入賞口に入らずに外れたアウト球を裏面へ回収するアウト口１８が設けられている。
また上記遊技盤の下部には、払い出された遊技球を貯留しかつ発射装置に遊技球を誘導する遊技球供給皿２ａや、供給皿２ａの余剰遊技球を貯留する下部遊技受け皿３ａ及び遊技球発射装置の操作ハンドル４ａ等が設けられている。
【０００３】
ハンドル４ａを回転操作すると遊技球が遊技領域６の上部へ発射される。遊技球が障碍釘７ｂや風車１３、センターケース８等を経て、例えば始動口１１や一般入賞口１４に入ると所定数の遊技球が裏面の遊技球払い出し装置から供給皿２ａに払出される。
また遊技球がゲート１２を通過すると、普通図柄表示装置１０の図柄が変動し、所定の図柄に揃うと始動口１１の開口チューリップ１１ａが所定時間開く。始動口１１に遊技球が入ると、特別図柄表示装置９の図柄セグメントがランダムに変動を始め、所定時間経過後図柄セグメントの変動が停止し、予め定められた所定の図柄に揃うと大当たりとなって、下部アタッカー１５の可変入賞装置１６の蓋が開口する。この開口は遊技球を所定数受入れるまで開口し、遊技者の供給皿２ａへ多数の賞球が払出される。可変入賞装置１６が開口中に開口内のＶ入賞口に入賞すると可変入賞装置１６の開口が繰り返し行われるようになっている。従って遊技者は、始動口１１を狙って発射装置のハンドル４ａを調節し、特別図柄表示装置９が常に変動するように、図柄が揃って大当たりが得られるようにゲームが行われる。
【０００４】
通常、一般入賞口１４や上記チューリップ１１ａ付きの始動口１１も遊技盤７に固定状態で設置され、入賞口の上部に打設された障碍釘７ｂの間隔、開き具合によって入る確率が左右される。チューリップ１１ａ付きの始動口１１では、チューリップ１６が開くと入り口が大きく開口して遊技球が入り易く、閉止状態では難しくなる。このチューリップ１１ａの開閉は、ゲート１２の通過によって変動開始する普通図柄表示装置１０の表示図柄によって、数秒間、電動で開くようになっている。
【０００５】
【特許文献１】
特開２００１−２４６０８８号公報
【特許文献２】
特開昭５６−３１７７０号公報
【０００６】
【発明が解決しようとする課題】
上記のようにゲームが行われるのであるが、近時は特別図柄表示装置９が大きく、センターケース８も大型化の傾向にある。従って決められた遊技領域の中で、入賞口１１、１４や風車１３等の役物を配置するスペースが狭くなり、役物の位置や数も限られたものになって、また障碍釘７ｂの配置も単純になって、パチンコ遊技機本来の遊技領域６内での遊技球の動きを楽しむ興趣が薄れてしまう問題があった。
本発明は上記の課題を解消して、入賞口位置を自身で変化させて、障碍釘の配置にかかわらず入賞が得られるようにし、興趣を増し、パチンコ遊技機本来の遊技球の動きを楽しむことが出来るパチンコ機を提供する。
【０００７】
【課題を解決するための手段】
本発明の要旨は、入賞口位置に遊技球が通過する貫通口を有した遊技盤と、
該遊技盤上に回転中心を設けて回転自在に取り付けられると共に、遊技盤上の遊技球を受け入れる入球口と該入球口に入った遊技球を前記遊技盤の貫通口に連絡する球誘導路とからなり、
遊技盤上を移動する遊技球に当たると遊技球の慣性力で回転揺動する入賞装置を備えたことを特徴とするパチンコ機である。
【０００８】
本発明は上記の構成であるから、遊技盤上を運動する遊技球が入球口を有す入賞装置に当接してこの入賞装置を回転運動させる。このため遊技球を受け入れる入球口も遊技盤上で回転運動を繰り返す。従って入球口が常に真上に向いてなく、左右方向角度を変えて自由に揺動運動する。従って従来の概念である真上から落下する遊技球が必ず入球口内に入って入賞するとは限らず、また横の方から流れる遊技球が必ず入賞しないとは限らず、入賞装置が揺動する入球口の位置角度とその時点での遊技球の位置、入球口に向かって流れる向き角度が合致したときに、盤面上を運動する遊技球が入賞装置の入球口に入って入賞する。
従って障碍釘の配置や間隔の狭い広いで入賞状態がほぼ限定された従来のパチンコ機に比べ、遊技盤上を流れる遊技球の移動状態によって予期しない時に入賞が得られ、また予期しないときに入賞が外れ、遊技の興趣が著しく増加する。従って障碍釘の配置にかかわらず入賞の機会が得られ、パチンコ機本来の遊技球の動きを楽しむことが出来るパチンコ機を提供できる。
【０００９】
本発明はまた上記において入賞装置は、遊技盤に回転自在に取り付けた状態で入球口が上向きになるように自立することを特徴とするパチンコ機である。
このように常時入球口が上向きに自立することによって、遊技球で揺動回転した後の入球口が上向きに自立するので、入賞装置の運動は安定する。
【００１０】
本発明はまた上記において入賞装置は、遊技盤上で回転する範囲を所定範囲内に規制する回転範囲規制装置を設けたことを特徴とするパチンコ機である。
回転範囲規制装置を設けることによって、入賞口位置を例えば上向きに規制することができ、無駄な回転運動をなくせる。
【００１１】
本発明はまた上記において入賞装置の回転規制装置は、少なくとも入球口が水平線より上方に向く範囲内に規制するように設けたことを特徴とするパチンコ機である。
このように、入球口が水平線より上方に向く範囲内でしか回転しないから、最大回転状態でも水平線より上向いており、入球口に遊技球が臨むと重力で自動的に入賞口内に進入できる。
【００１２】
本発明はまた、上記入賞装置は、前記遊技盤の貫通口に装着し、該貫通口を回転中心として回転自在に設けたことを特徴とするパチンコ機である。
貫通口に入賞装置を設けることによって貫通口周りに回転するから入賞装置の取り付けが容易で構造が簡単にできる。
【００１３】
本発明はまた、上記入賞装置は、前記遊技盤の貫通口とは別の位置に回転中心を設けて遊技盤に回転自在に装着したことを特徴とするパチンコ機である。
このように回転中心を貫通口とは別の位置に設けることも可能で、種々の位置に回転中心を設定して設け、入賞装置の回転運動に変化を持たせることができる。
【００１４】
本発明はまた、前記入賞装置は、遊技盤に取付板を固定し、該取付板に入賞装置を回転自在に設けたことを特徴とするパチンコ機である。
このように遊技盤に取付板を固定することによって入賞装置の遊技盤への固定が安定し、安定して回転運動が行われる。
【００１５】
本発明はまた、前記入賞装置は、外側部に遊技球が当接する遊技球当接部を設けたことを特徴とするパチンコ機。
入賞装置の外側部に遊技球が当接するだけでも遊技球の慣性力で回転運動するが、上記のように遊技球が当接しやすい位置に球当接部を設けることによって、入賞装置の回転運動に変化をつけられる。
【００１６】
本発明はまた上記において　前記入賞装置の球当接部は、下部に向かって裾広がりの球当接面からなることを特徴とするパチンコ機である。
裾広がりの当接面を設けることによって、垂直に落下する遊技球が当接面に当たりやすく、また当接した際に反力が働き易く、回転しやすくなる。
【００１７】
また上記において入賞装置の球当接部は、入賞装置の側部に張り出す球受け面からなることを特徴とするパチンコ機である。
このように設けることによって、遊技球が更に当接しやすくまた球受け面に乗って、変化のある遊技球及び入賞装置の回転が行われる。
【００１８】
また上記において入賞装置の球当接部は、前記球誘導路の下部側に突き出して設けた球当接竿からなるパチンコ機である。
このように入賞装置の球誘導路の下部側に球当接竿が設けられているので、入賞装置の回転中心に対して上部の入球口重量と下部の重量のバランスをとることが出来、このバランスによって入賞装置の回転揺動運動に変化を持たせることが出来、入賞装置の自立性を高めることができる。また球当接竿によって遊技球が当接する面積が増え、ゲームの興趣が増す。
【００１９】
また上記において回転範囲規制装置は、前記取付板又は入賞装置のいずれかの側に設けた回転軸を中心とする円弧溝と、該円弧溝内で移動可能に前記取付板又は入賞装置のいずれかの側に設けた規制ピンと、からなることを特徴とする。
このように入賞装置の運動と同心円弧の円弧溝と、この円弧溝内で移動する規制ピンとで有るから、入賞装置は円弧溝の範囲内でしか移動できず、回転範囲が規制される。
【００２０】
また上記において回転範囲規制装置は、入賞装置の回転によって入賞装置の側部に当接して回転が規制される係止ピンからなることを特徴とする。
このように入賞装置の側部に当接して入賞装置の回転が係止される係止ピンを固定側である遊技盤または取付板に設けることでも、入賞装置は係止ピンの範囲内でしか移動できず回転範囲が規制される。
【００２１】
また上記において入賞装置は、遊技盤又は取付板との間でベアリングを設け、ベアリングを介して装着したことを特徴とする。
入賞装置はベアリングを介して装着されているから、入賞装置の回転運動が円滑に安定して行われる。
【００２２】
また上記において入賞装置は、前記入球口と反対側の下部にウエイトを装着し、入球口が常に上向きに自立するように設けたことを特徴とするパチンコ機である。
入賞装置の入球口と反対の下部側にウエイトを設けて入球口が自立するように設けられているので、入賞装置の回転揺動運動が繰り返し行われ、入球口の揺動変化も長く続いて揺動し、ゲームの興趣が増す。
【００２３】
【発明の実施の形態】
以下本発明の実施の形態を図面を参照して説明する。
図１乃至図５は本発明の第１実施例の入賞装置を示し、図６、図７は第２実施例の入賞装置を示し、図８乃至図１０は第３実施例の入賞装置を示し、図１１は従来のパチンコ機の正面図で、各部の配置を併せて説明する。
まず第１実施例の入賞装置を図面に基づいて説明する。第１実施例の入賞装置は大別して、遊技盤７表面の入賞口位置に取り付けられる取付板１９と、取付板１９に回転自在に取り付けた入賞装置２４とからなり、遊技盤７の貫通口７ａを回転中心に回転揺動するように設けられている。
図４において、遊技盤７の入賞口位置には遊技盤７を貫通する貫通口７ａを設け、貫通口７ａに取付板１９のベアリングハウジング２２を装着し、取付板の左右に設けた取付孔２０を用いて遊技盤７の貫通口７ａ位置に取付板１９が固定される。
【００２４】
図３は図１の背面を示し、図３、図４において、取付板１９には背面にベアリングハウジング２２を設け、ハウジング２２内にボールベアリング２３を装着してある。この取付板１９のベアリング２３内輪に入賞装置２４の筒状の球誘導路３２を挿入嵌合し、取付板１９に入賞装置２４を回転自在に装着している。
入賞装置２４は上部に遊技球を受け入れる入球口３０を有し、入球口３０に入った遊技球は入球路２５を通り、遊技盤７の貫通口７ａに挿入した筒状の球誘導路３２を通り、遊技盤７の裏面に排出される。入球口３０から貫通口７ａ間には遊技球感知センサーを設置してあり、遊技球の入賞状態が感知される。
入球口３０、入球路２５の断面は遊技球が通過する大きさの正方形で、ベアリング２３の内輪に嵌合する球誘導路３２の断面は円に設けてある。
【００２５】
回転範囲規制装置の構成は図１から図５で示すように、取付板１９にベアリングハウジング２２と同心の円弧溝２１を設け、円弧溝２１には図４で示すように入賞装置２４の裏面へ突出する規制ピン３６が円弧溝２１に挿入した状態で組み付けられている。固定された円弧溝２１内で回転移動する規制ピン３６の移動距離が入賞装置２４の回転範囲規制装置としている。
この回転範囲規制装置は、上記構成とは反対に、円弧状の溝を入賞装置２４側に設け、取付板１９側に規制ピン３６を設け、固定した規制ピン３６の外面を円弧溝２１が回転移動する回転範囲規制装置としてもよい。また図２の係止ピン３６ａで示すように、入賞装置２４が首振りする揺動する入球口３０の側面に係止する回転規制係止ピン３６ａを取付板１９側に突出して設け、入賞装置２４の回転移動を直接係止ピン３６ａに軽視させて回転範囲規制装置としてもよい。
尚上記第１実施例において、取付板１９を用いず、遊技盤７に直接入賞装置２４を回転自在に装着することも可能で、この場合は、取付板１９に設けたベアリングハウジング２２や回転範囲規制装置の円弧溝２１、回転規制ピン３６、３６ａ等が遊技盤７側に設けられる。
【００２６】
図５は分解した状態を示し、入賞装置２４は前板３９と後板４０とからなり、後板４０に筒状の球誘導路３２、取付板１９の円弧溝２１内に挿入する規制ピン３６及びビス取付座４１を設けてあり、前板３９に入球口３０、入球路２５、底板３１があり、また下部に傾斜板３４、３４及び遮蔽板３７、３７を設け、ビス穴４２を通じてビス４３を後板４０のビス取付座４１にビス止めしている。尚３１ａは底板３１に突出して設けた球誘導片である。
また図４で示すように、下部にウエイト装着部を設けてウエイト３８を装着している。このウエイト３８は回転中心である球誘導路３２を中心として、上部の入球口３０側モーメントに比べて下部の傾斜板３４側モーメントが大きくなるように、通常時は入球口３０が上部に自立するように設けている。従って、ウエイト３８が装着して無くとも、下部の傾斜板３４側モーメントが上部より大きければ、遊技球が当接して回転揺動が行われた後、入賞装置２４の向きは回転揺動前の通常状態に上向きに自立する。
【００２７】
入球口３０、入球路２５の下部両側に側部傾斜板３４、３４を設け、傾斜板３４の角度は垂直線に対して左右に約４０度ずつ傾斜した面を持ち、入球口３０近傍に落下した遊技球が傾斜板３４に当接すると入賞装置２４には遊技球の慣性力に対する反発力が働いて回動し、回転範囲規制装置の回転範囲内で回転揺動する。従って上部の入球口３０も左右に回転揺動を繰り返し、入賞口位置が変化する。
また図５等で示すように、側部傾斜板３４の前面には遮蔽板３７を設けて、遊技球が傾斜板３４に当接した際、遊技球が遊技盤７の前方に反発移動して、前面枠２のガラス面に衝突しガラスを壊さないように、遮蔽板３７を突出して設け、遊技球がガラス面へ移動するのを規制している。このためガラス面の内側に遊技球が当たらず、ガラス面の保護が行われる。
【００２８】
図６、図７は本発明の第２実施例の入賞装置を示し、図６は通常の状態を、図７は遊技球によって傾いた状態を示す。本第２実施例における取付板５０に入賞装置６０を回転自在に連結する構造は、前記第１実施例と同様で、取付板５０にベアリングを装着し、ベアリングの内輪に入賞装置６０の球誘導路６１を嵌合して、入賞装置６０を遊技盤７の貫通口７ａを中心に回転自在に設けている。
本実施例の入賞装置６０は、上部に遊技球を受け入れる入球口６２を、球誘導路６１の下部に球当接竿６３を突出して設け、球当接竿６３の下端にウエイト６４を装着している。
【００２９】
また球誘導路６１の左右両側に球受け部６５、６５を突出して設け、この球受け部６５は上部から落下してきた遊技球Ｋが載置するように球受け部６５の上面を凹状に形成している。遊技盤上の遊技球Ｋが当接または載置すると、遊技球Ｋの重量や慣性力で図７のように入賞装置６０が傾き、取付板５０に設けた係止ピン６６に入賞装置下部の球当接竿６３が当接して停止する。
球受け部６５の位置は、球誘導路３２の中心線上に限らず、入球口６２の両側面や、また下部のウエイト装着部位置の両側面であってもよい。取付板５０の下部に設けた係止ピン６６は、入賞装置の球当接竿６３に当接して回転範囲が規制され、回転範囲規制装置としている。
【００３０】
本第２実施例では、遊技盤上を流れる遊技球Ｋが入賞装置６０の両側に設けた球受け部６５及び下部に延びる球当接竿６３に当接して、入賞装置６０の回動が開始される。球誘導路６１の回転中心に対して下部球当接竿６３側が重ければ、揺動が繰り返された後、図６のように入球口６２が上部に自立する。回転中心に対して上部の入球口６２側が重ければ、図７のごとくいずれかの側に傾いた状態になるが、再度遊技球Ｋが入賞装置６０の球受け部６５や球当接竿６３に当接すると、反対側に向きを変えて回転移動する。従って入賞口装置６０の入球口６２が常に所定の向き傾き位置で定まってないので、変化のあるゲームが楽しめ、興趣が増す。
【００３１】
図８、図９、図１０は本発明の第３実施例を示し、図８は遊技球Ｋが球当接面７４に当接して入賞装置７０の入球口７２が傾いた状態を示す正面図、図９は図８のＡ―Ａ線断面図、図１０は図８のＢ−Ｂ線断面図である。
本第３実施例では入賞装置７０の回転中心を従来の遊技盤７の貫通口とは別の回転支持ピン７５位置に設けた。入球口７２に入った遊技球は球誘導路７１を経由して遊技盤の貫通凹溝７ｂへ遊技球が流れる。遊技盤７の貫通凹溝７ｃは球誘導路７１の回転揺動に応じて遊技球が裏面に流れるように回転中心７５と同心の円弧状貫通凹溝７ｃに設けてある。また貫通凹溝７ｃに代えて前記実施例のように遊技球が通過する大きさの断面円状貫通口を球誘導路７１の軌跡状に設けてもよい。この場合は入賞装置７０の球誘導路７１が遊技盤の貫通口位置に来た時、即ち球誘導路７１と貫通口が合致した際にのみ遊技球が通過する。
【００３２】
上記球誘導路７１及び貫通凹溝７ｃの下部に回転中心の支持ピン７５を設け、遊技盤７に対して入賞装置７０を回転自在に装着している。入賞装置７０を回転自在に連結する構造は、前記第１実施例と同様に、取付板を設け、回転中心にベアリングを設けて、遊技盤７の支持ピン７５を中心に回転自在に装着する構造であってもよい。
入賞装置の下部には回転規制凹溝７３を設けてあり、この凹溝７３に、遊技盤７に固定した回転規制ピン７６を当接させて入賞装置７０の回転範囲規制装置としている。入賞装置７０の側部には球当接面７４を設け、またこの球当接面７４の前面に遮蔽板７７を設け、遮蔽板７７を円に設け、図８のごとく正面前面を円状に形成してある。
【００３３】
本第３実施例では、遊技盤上を流れる遊技球Ｋが入賞装置７０の両側に設けた球当接面７４に当接して下部へ落下するが、入賞装置７０は遊技球Ｋの反力で回転支持ピン７５を回転中心にして回転が行われる。入球口７２側に対して回転規制凹溝７３側のモーメントが重ければ、揺動が繰り返された後、入球口６２が上部に自立する。回転中心に対して上部の入球口７２側が重ければ、図８のごとくいずれかの側に傾いた状態で停止するが、再度遊技球Ｋが球当接面７４に当接すると、入球口７２の位置が図８の反対側に向きを変えて回転移動する。また入賞口装置７０前面球遮蔽板７７が円形状で、内部を遮蔽しているので、入球口７２に入った遊技球や球当接面７４に入った遊技球が一瞬見えないので、入賞したかどうかの興趣が高まり、また入球口７２位置が見えなく、しかも常に一定の向き位置になく、変化のあるゲームが楽しめる。
【００３４】
【発明の効果】
本発明は上記の構成であるから、遊技盤上の遊技球が入賞装置に当接して入賞装置を回転させる。このため入賞装置に設けた入球口も所定範囲内で回転し、従って入球口が常に一定の位置になく、左右角度を変えて運動し変化する。従って従来の概念である、真上から落下する遊技球が必ず入球口内に入って入賞するとは限らず、また横の方から流れる遊技球が必ず入賞しないとは限らず、入賞口装置が揺動する入球口の位置角度とその時点での遊技球の位置、入球口に向かって流れてくる角度が合致したときに遊技球が入球口に入って入賞する。従って入賞口直上の釘（ゲージ釘）の配置や間隔で入賞状態がほぼ限定された従来のパチンコ機と比べて、遊技盤上を流れる遊技球の移動状態によって予期しない時に入賞が得られ、また予期しないときに入賞が外れるので、遊技の興趣が著しく増加する。パチンコ機が得られる。
【図面の簡単な説明】
【図１】本発明の第１実施例を示すパチンコ機入賞装置２４の正面図である。
【図２】第１実施例の入賞装置が傾いた状態を示す正面図である。
【図３】第１実施例の入賞装置の背面図である。
【図４】第１実施例の入賞装置の側面断面図である。
【図５】第１実施例の分解斜視図である。
【図６】本発明の第２実施例を示す入賞装置６０の正面図である。
【図７】第２実施例の入賞装置が傾いた状態を示す正面図である。
【図８】本発明の第３実施例を示すパチンコ機入賞装置の正面図である。
【図９】図８の第３実施例のＡ−Ａ線断面図である。
【図１０】図８の第３実施例のＢ−Ｂ線断面図である。
【図１１】パチンコ機を示す正面図である。
【符号の説明】
７：遊技盤、　７ａ：貫通口、　７ｂ：障碍釘、　１９：取付板、
２０：取付孔、　２１：円弧溝、　２２：ベアリングハウジング、
２３：ベアリング　２４：入賞装置、　２５：入球路、　３０：入球口、
３１：底板、　３２：球誘導路、　３４：側部傾斜板、　３６：回転規制ピン、
３６ａ：係止ピン、　３７：遮蔽板、　３８：ウエイト、　３９：前板、
４０：後板、　４１：ビス取付座、　４２：ビス穴、　４３：ビス、
５０：取付板、　６０：入賞装置、　６１：球誘導路、　６２　入球口、
６３：球当接竿、　６４：ウエイト、　６５：球受け部、　６６：係止ピン、
７０：入賞装置、　７１：球誘導路、　７２：入球口、　７３：回転規制凹溝
７４：球当接面、　７５回転支持ピン、　７６：回転規制ピン、
７ｃ：貫通凹溝
【図１】
2004097774.tif 000003
【図２】
2004097774.tif 000004
【図３】
2004097774.tif 000005
【図４】
2004097774.tif 000006
【図５】
2004097774.tif 000007
【図６】
2004097774.tif 000008
【図７】
2004097774.tif 000009
【図８】
2004097774.tif 000010
【図９】
2004097774.tif 000011
【図１０】
2004097774.tif 000012
【図１１】
2004097774.tif 000013